(57)【要約】      （修正有）【課題】短時間に油を吸着し、かつ薄い油膜状になった油も吸着し、また油吸着率を高めると共に回収時に油の漏出量を抑えることのできる油吸着材の提供。【解決手段】積層油吸着材Ｍ’であって、マット状の不織布製油吸着材を積層させ、一体化し、上面及び下面の表層面１と側壁面２の表面積の比を１：０．２〜３好ましくは１：０．５〜２とする。紐等の結束具４を入れて緊縮することにより、またはネット等で被包することにより一体化する。【選択図】図６
2018047444.tif 000002
【特許請求の範囲】
【請求項１】
マット状の不織布製油吸着材を積層させ、一体化することを特徴とする積層油吸着材。
【発明の詳細な説明】
【技術分野】
【０００１】
本発明は、流出油等の回収に用いられる油吸着材に関する。
【背景技術】
【０００２】
近年、工場等から油の流出事故や船舶から排出される油あるいは船舶の事故による大量の原油の流出に基因して、河川、港湾、海洋等が汚染される状況が増大している現状にある。
これらの流出油等を回収する方法として広く油吸着材が用いられている。この油吸着材は、天然繊維、合成繊維等種々の素材のものが提案されているが、最近は、ポリエステル、ポリプロピレンを素材とした油吸着材が広く使用されている。特にポリプロピレンは疎水性で且つ親油性であることから多く使用されている。
【０００３】
油吸着材の形状もマット状、ロール状、チューブ状、リボン状あるいはそれらを加工した万国旗状、フェンス状等の種々のものが使用されている。なかでもマット状のものは最も多く使用されている。
例えば油吸着シートを複数枚重ね合わせ、重ね合わせた前記複数枚の油吸着シート間にポケット部を構成させるようにして該複数枚の油吸着シートを上下に互いに接合したことを特徴とする油吸着材（特許文献１）。また油吸着シートを折り重ねて積層状とし、少なくとも１つのポケット部を構成させ、形状保持体を折り重ねて積層状にした油吸着シートの表面と裏面に設けた後、これらの折り重ねられた油吸着シートと形状保持体を一体化させた油吸着材（特許文献２）等が知られている。
【０００４】
しかしながら、特許文献1の油吸着材はその表面層で吸着する目的で開発されたものであり、油吸着材の厚さ部によって主に吸着するものではなかった。
従って油吸着材を重ね合わせ接合したものは各油吸着材の厚さ部が間隔を有するように構成されていることから極めて油吸着効率が悪い欠点があった。
【０００５】
また特許文献２の油吸着材は、油吸着シートを折り重ねて積層状としていることから油吸着シートの厚さ部の占める面積部が少なく効率的な油の吸着が不可能であった。
そして前記油吸着材は、薄膜状の油層の場合には実質的には油の吸着効果がなかった。
【先行技術文献】
【特許文献】
【０００６】
【特許文献１】特開平８−１９２１５２号公報
【特許文献２】特開２０１０−７５８３３号公報
【発明の概要】
【発明が解決しようとする課題】
【０００７】
前記したように従来の油吸着材は、水面上の油層の厚さが厚い場合には一定の吸着効果はあるが、油層の厚さが薄くなるにつれて吸着効果が低下する傾向にあった。特に薄膜状の油層については実質的に効果が無かった。本発明者は、かかる現象について種々観察した結果、マット状油吸着材を油層に投入した場合、該マット状油吸着材の下面に接した油が吸着されると、下面が水に直接接触することにより、下面に表面張力が生じ水膜が形成され、油の吸着が出来なくなる現象を見出した。
そしてかかる現象に起因してマット状油吸着材は、その下面によって水面に浮かんだ状態となることから油層と側壁面との接触面積が極めて少なくなるため薄膜状の油が吸着されないことを見出した。
そこで本発明者は、短時間に大量の油を吸着すると共に、薄い油膜状の流出油についても短時間で良く吸収し、また油吸着率を高め、さらに油吸着材の回収時に油の漏出量の少ない油吸着材について種々研究を重ねた結果本発明を完成するに至った。
【課題を解決するための手段】
【０００８】
すなわち、本発明は、マット状の不織布製油吸着材を積層させ、一体化することを特徴とする積層油吸着材である。
【発明の効果】
【０００９】
本発明は、厚い油層の流出油は勿論のこと、薄い油膜状になった流出油も短時間で吸着することができ、また油吸着率を高め、さらに積層油吸着材の回収時に油の漏出量を抑えることができる。
【図面の簡単な説明】
【００１０】
【図１】原布の不織布の平面図である。
【図２】マット状油吸着材Ｍの平面図である。
【図３】図２のａ‐ａ部のマット状油吸着材Ｍの断面図である。
【図４】切り込み部の入ったマット状油吸着材Ｍの平面図である。
【図５】マット状油吸着材Ｍを積層した側面図である。
【図６】マット状油吸着材Ｍを積層させ、結束具で緊縮した積層油吸着材Ｍ´の切り込み部位の側断面図である。
【図７】円形の穴を穿ったマット状油吸着材Ｍの平面図である。
【図８】本発明の積層油吸着材Ｍ´の斜視図である。
【図９】本発明の他の態様の積層油吸着材Ｍ´の斜視図である。
【発明を実施するための形態】
【００１１】
不織布は、一般的に連続した長尺状シートとして製造されるため、工程中にテンションをかけられる等のことから、ランダムに配置された繊維がわずかに全体としてシートの長尺方向Ａに流れている。そして得られたマット状油吸着材は、上面および下面は繊維が密なために表面張力が働いて水膜を生じ、一方側壁面（切断面部）（以下「側壁面」と云う）は繊維が粗く空隙が大きいために表面張力が小さくなる性質を有している。またこのようにして調製した油吸着材は、油を吸着した後シートを長尺方向Ａに吊下すると、油の漏出量が多く、反対に短尺方向Ｂに吊下すると油の漏出量が少ないことが知られている。
また従来の不織布製油吸着材は、前記したような新たな知見から明らかなように油の吸着に長時間を要すると共に油の吸着率も低かった。特に薄い油膜状を呈した油については実質的に吸着することが困難であった。
【００１２】
本発明は、薄い油膜状を呈した流出油をも迅速に吸着し、不織布製油吸着材の単位表面積当たりの吸油量を高め、また吸着した油の漏出量を抑えるために、不織布の上面および下面の表層面と側壁面の表面積の比を１：０．２〜３、好ましくは１：０．５〜２とすることによって前記の目的がさらに向上されることを見出した。
すなわちこの値が０．２より小さいと油の漏出量が増大し、一方３より大きくなると、油の吸着量は増大するが、保形性を維持することが困難となり、油吸着材の回収が困難になる。
また油吸着材Ｍの大きさは、１〜２，０００ｃｍ２、特に５０〜２００ｃｍ２のものが好ましい。
【００１３】
次に本発明を図面に参照しながら説明する。
図１は、本発明のマット状油吸着材に使用する不織布の長尺シートの一部の平面図であり、Ａが長尺方向を示し、Ｂが短尺方向を示す。図２は長尺シートから四角形に裁断したマット状不織布製油吸着材（以下「マット状油吸着材」という）Ｍの平面図である。該マット状油吸着材Ｍは表層面１と側壁面２からなっている。図３は、図２のマット状油吸着材Ｍのａ‐ａ断面図である。このマット状油吸着材Ｍは上面および下面からなる表層面１と４辺の側壁面２とからなっている。
【００１４】
マット状油吸着材Ｍの形状も丸型、楕円型、五角形、六角形、星形等の種々の形状にすることができ、さらに外縁部を凹凸状として調製することもできる。
【００１５】
本発明のマット状油吸着材Ｍは、図４に示すように両サイドに切り込み部３を設けることもできる。この切りこみ部３の形状は線状でも溝状でも差しつかえない。このように切り込み部３を設けたマット状油吸着材Ｍは図５に示すように同じ方向に揃えて積層する。積層されたマット状油吸着材Ｍは、切り込み部３に例えば紐等の結束具４を入れて緊縮することによって一体化することができ、図６に示すような積層油吸着材Ｍ´を調製することができる。積層されたマット状油吸着材Ｍの切り込み部３と紐等の結束具４は、複数個所設ける事が出来る（図示せず）。また他の方法としてはネット等で被包することによっても一体化することができる。マット状油吸着材Ｍの積層枚数は、マット状油吸着材の厚さあるいは使用目的により適宜選択すれば良いが通常は２〜２０枚程度が好ましい。
マット状油吸着材Ｍを密着状態で積層することによって、厚い油層の流出油は勿論のこと、薄い油膜状になった流出油も短時間で吸着することができ、また油吸着率を高め、さらに積層油吸着材Ｍ´の回収時に油の漏出量を抑えることができる。
前記結束具４としては紐の外、結束バンド、鎖、繊維ロープ、ワイヤーロープ等の種々のものが使用できる。
このようにして調製された積層油吸着材Ｍ´は常に側壁面が充分に油層に接することから油を短時間に吸着する事が出来る。
【００１６】
そしてマット状油吸着材Ｍの表層面１と側壁面２との表面積の割合を調整する方法としては、図７に示すようにマット状油吸着材Ｍに適宜の数の円形の穴５を穿つことによって行うことができる。また穴５はマット状油吸着材Ｍを積層した後パンチング処理することによっても設けることができる。さらに穴５の形状も円形の外、三角形、四角形、五角形、六角形、星形、楕円型、ひょうたん形等の種々の形状とすることができる。これらの穴５の配列は整列させて配列する外、列をずらしたり、不規則に配列したり、異なる形の穴５を組合わせたりすることによって、回収時の油の漏出をさらに防止することができる。
【００１７】
本発明の積層油吸着材Ｍ´は図８に示すようにマット状油吸着材Ｍの中心部にロープ７等を通す挿通口６を設け、所望の枚数を積層した後、前記挿通口６にロープ７等を通して両端部のロープ７等に固定具８によって止めることによって積層油吸着材を構成することもできる。またこの際各油吸着材Ｍが回転可能なように遊動状態として固定具８によって止めることもできる。そして図８のように油吸着材Ｍ´を間隔を設けて設置することによって収納時容易に折り畳むことができ、収納スペースを小さくすることができる。
また前記ロープ７等は蛍光性、夜光性、発光性のものを使用することにより、夜間等の暗い場所でも油回収作業が行える。
さらに図９に示すような周囲を凹凸状の形状とした積層油吸着材Ｍ´とすることによって凹部に油を溜めることができるので薄膜状の油も効率よく捕捉し、吸着することができる。
【００１８】
また、本発明の積層油吸着材Ｍ´は適宜の方法で例えば万国旗状ならびに吸着フェンス状に連結して使用することによって回収作業が容易になる。
【符号の説明】
【００１９】
１・・・表層面
２・・・側壁面
３・・・切り込み部
４・・・結束具
Ｍ・・・マット状油吸着材
Ｍ´・・・積層油吸着材
【図１】
2018047444.tif 000003
【図２】
2018047444.tif 000004
【図３】
2018047444.tif 000005
【図４】
2018047444.tif 000006
【図５】
2018047444.tif 000007
【図６】
2018047444.tif 000008
【図７】
2018047444.tif 000009
【図８】
2018047444.tif 000010
【図９】
2018047444.tif 000011